(57)【要約】【課題】  役割の異なるデータ処理装置にインストールされるデータ管理プログラムができるだけ共通化され、そのプログラム設計にあたってプログラム設計者に負担をかけないプログラムが使用できるようにするとともに一方のデータ処理装置が他方のデータ処理装置のヘルパーマシンとして機能できるような構成を提供することである。【解決手段】  ミニラボと汎用パソコンに組み込まれた汎用ＯＳに同一の画像データ管理プログラムがインストールされており、汎用ＯＳから出される画像データ管理プログラムに対する起動要求には前もって設定された起動パラメータが含まれており、この起動パラメータはデータ管理プログラムによって実現可能な全ての機能の中からインストール先となったミニラボ又は汎用パソコンの仕様に対応して必要とされる機能のみを実現させる内容を有している。【選択図】        図６
2005157411.tif 000002
【特許請求の範囲】
【請求項１】
データ処理システムを構成する複数の役割の異なるデータ処理装置に組み込まれた汎用ＯＳ上で動作するように各データ処理装置にインストールされたデータ管理プログラムに基づいてデータ処理を行うデータ処理方法において、
前記各データ処理装置に同一のデータ管理プログラムがインストールされ、かつ
各データ処理装置において前記データ管理プログラムを起動するための起動要求には前もって設定された起動パラメータが含まれており、この起動パラメータは前記データ管理プログラムによって実現可能な全ての機能の中からインストール先となったデータ処理装置の仕様に対応して必要とされる機能のみを実現させる内容を有し、これにより各データ処理装置に適合したデータ処理が各データ処理装置において実行されることを特徴とするデータ処理方法。
【請求項２】
画像データを格納する画像データ格納ユニットとこの画像データ格納ユニットとデータ伝送可能につながっている複数の役割の異なる画像処理装置からなる画像データ処理システムにおいて、
前記各画像処理装置に組み込まれた汎用ＯＳに同一の画像データ管理プログラムがインストールされており、前記汎用ＯＳから出される前記画像データ管理プログラムに対する起動要求には前もって設定された起動パラメータが含まれており、この起動パラメータは前記データ管理プログラムによって実現可能な全ての機能の中からインストール先となった画像処理装置の仕様に対応して必要とされる機能のみを実現させる内容を有していることを特徴とする画像データ処理システム。
【請求項３】
前記画像データ格納ユニットは、画像入力機器で得られた画像データを画像処理する第１の画像処理装置のための画像データバッファとして機能しており、第２の画像処理装置は前記画像データ格納ユニットに格納された画像データを第１の画像処理装置に代わって画像処理するヘルパーマシンとして機能することを特徴とする請求項２に記載の画像データ処理システム。
【請求項４】
前記第２の画像処理装置は汎用パソコンであることを特徴とする請求項３に記載の画像データ処理システム。
【発明の詳細な説明】
【技術分野】
【０００１】
本発明は、データ処理システムを構成する複数の役割の異なるデータ処理装置に組み込まれた汎用ＯＳ（オペレーションシステム）上で動作するように各データ処理装置にインストールされたデータ管理プログラムに基づいてデータ処理を行うデータ処理方法、及びこの方法を実施する画像データ処理システムに関する。
【背景技術】
【０００２】
一般にＤＰＥと呼ばれている写真プリント出力の分野では、現在、写真フィルムのコマ画像を読み取ってデジタル画像データ化するフィルムスキャナと、前記フィルムスキャナから送られる画像データもしくは直接撮影画像をデジタル画像データ化するデジタルカメラから送られる画像テータに対して必要な画像処理を施してプリントデータを生成する画像処理装置と、前記プリントデータに基づいて画像記録媒体上に画像を形成して写真プリントとして出力するプリント装置とから構成される、デジタルミニラボとして知られている、写真プリントシステムが広まっている。
【０００３】
このような写真プリントシステムでは、顧客から写真フィルムやデジタルカメラ用メモリカードをプリントソースとするプリント依頼を受けて、そのプリントを作製するのを基本的な動作としており、例えば焼き増しプリントを依頼をする場合でも、再度写真フィルムやデジタルカメラ用メモリカードを持参してもらってこれをプリントソースとしてプリントを作製するのが一般的であった。しかしながら、デジタル化された画像データを格納する大容量ハードディスクのような画像データ格納ユニットが比較的容易に導入できるようになってきたことから、最初のプリント目的で入力された画像データを画像データ格納ユニットに残しておき、次にあるかもしれない焼き増しプリント注文に備えるようなシステムも提案されている。
【０００４】
さらには、画像データに適切な画像処理を施してプリントデータを生成する画像処理装置と画像データを記憶保存する画像データ格納装置とにフィルムスキャナが読取った写真フィルムの画像データを送信する際、それぞれの装置に対して個別に送信するのではなく、フィルムスキャナから画像処理装置に送られている画像データがそのまま画像データ格納装置にも送られるように構成された分岐送信経路を形成することによって、フィルムスキャナは、画像処理装置に画像データを送る処理をするのと実質的に変わりない処理で、画像処理装置と画像データ格納装置との両方に画像データを送信できる写真プリント装置も知られている（例えば、特許文献１参照。）。このような写真プリント装置では、写真プリント装置の処理能力を低下させるのを抑制しながらも、写真フィルムから読み取られた画像データを記憶保存することが可能となる。また、フィルムスキャナと画像処理装置の間に画像格納装置が配置されていることから、画像処理装置がフル稼働中であっても、画像処理装置の処理に空きができるまで、写真フィルムから読み取られた画像データを一時的にバッファすることが可能である。しかしながら、このような写真プリント装置における画像格納装置は、写真プリント装置のコントローラに実装された写真プリント管理プログラムの１つの機能としての画像データ管理サブプログラムによって制御されているので、この画像格納装置を画像処理装置のヘルパーマシンとしての汎用的なパソコン等で扱おうとするためには、別の画像データ管理用のプログラムを用意する必要があり、経済的な負担を伴うことになる。
【０００５】
また登録ユーザ（ユーザ端末）とネットワークで接続された画像形成装置からなる写真プリントシステムも提案されており、ここでは、画像形成装置は、内蔵するフィルムスキャナで読み取った画像データについて画像形成によるプリント出力を行う機能を有すると共に、前記画像データについてのサムネイル画像を生成し、このサムネイル画像をユーザ端末から閲覧可能にし、ユーザ端末で閲覧されているサムネイル画像の選択を受けて、このサムネイル画像に対応する画像データの画像形成を実行する機能を有し、ユーザ端末は、画像形成装置のウエブサーバから取得した画像管理メニュー画面を介して、選択した画像の画像形成出力（片面、両面、部数）や画像削除の指示を画像形成装置１００に与えることができ、この画面において、画像出力条件の設定や変更が可能となっている（例えば、特許文献２参照。）。この写真プリントシステムでは、複数のユーザ端末から画像形成装置に付属するハードディスクに格納されている画像データにアクセすることが可能であるが、画像データを取り扱うためのプログラムに関しては画像形成装置のものとユーザ端末のものでは全く異なっているため、ユーザ端末を画像形成装置のヘルパーマシンとするような使用は不可能である。
【０００６】
【特許文献１】特開２００３−２８３７１９号公報（段落番号０００５−０００７、００２８−００２９、第１図）
【特許文献２】特開２００３−２０８５９８号公報（段落番号００３７−０００７、００２８−００６６、第１図）
【発明の開示】
【発明が解決しようとする課題】
【０００７】
上記実状に鑑み、本発明の課題は、データ処理システムを構成する複数の役割の異なるデータ処理装置に組み込まれた汎用ＯＳ上で動作するように各データ処理装置にインストールされたデータ管理プログラムに基づいてデータ処理を行うデータ処理技術において、役割の異なるデータ処理装置にインストールされるデータ管理プログラムができるだけ共通化され、そのプログラム設計にあたってプログラム設計者に負担をかけないプログラムが使用できるようにするとともに一方のデータ処理装置が他方のデータ処理装置のヘルパーマシンとして機能できるような構成を提供することである。
【課題を解決するための手段】
【０００８】
上記課題を解決するため、データ処理システムを構成する複数の役割の異なるデータ処理装置に組み込まれた汎用ＯＳ上で動作するように各データ処理装置にインストールされた同一のデータ管理プログラムに基づいてデータ処理を行うデータ処理方法において、本発明では、前記各データ処理装置に同一のデータ管理プログラムがインストールされ、かつ各データ処理装置において前記データ管理プログラムを起動するための起動要求には前もって設定された起動パラメータが含まれており、この起動パラメータは前記データ管理プログラムによって実現可能な全ての機能の中からインストール先となったデータ処理装置の仕様に対応して必要とされる機能のみを実現させる内容を有し、これにより各データ処理装置に適合したデータ処理が各データ処理装置において実行されることを特徴としている。
この方法では、役割の異なる複数のデータ処理装置に、例えばメインの専用データ処理装置とこのメインの専用データ処理装置のヘルパーマシンとして機能させる汎用パソコンからなるサブデータ処理装置に、同一のデータ管理プログラムをインストールしておき、それらの起動時に与えられる起動パラメータによって専用データ処理装置においてはこの専用データ処理装置に必要な機能が実行可能なように起動させ、サブデータ処理装置においてはこのサブデータ処理装置に必要な機能が実行可能なように起動させることができる。これにより、役割の異なる複数のデータ処理装置毎にデータ管理プログラムを作成する必要がなく、プログラム製作の負担が減らせるとともに、メインのデータ処理装置とサブデータ処理装置に同じデータ管理プログラムをインストールしているにもかかわらずそれぞれにとって不必要なあるいは実行不可能な機能は選択不能となったり、非表示になったりすることで、オペレータに無用な混乱を生じさせないように配慮されている。
【０００９】
このようなデータ処理方法を、画像データを格納する画像データ格納ユニットとこの画像データ格納ユニットとデータ伝送可能につながっている複数の役割の異なる画像処理装置からなる、特に写真プリントの分野で用いられている画像データ処理システムに採用するならば、上述した従来技術がもつ問題点を解決することが可能となる。そのような本発明による画像データ処理システムは、前記各画像処理装置に組み込まれた汎用ＯＳに同一の画像データ管理プログラムがインストールされており、前記汎用ＯＳから出される前記画像データ管理プログラムに対する起動要求には前もって設定された起動パラメータが含まれており、この起動パラメータは前記データ管理プログラムによって実現可能な全ての機能の中からインストール先となった画像処理装置の仕様に対応して必要とされる機能のみを実現させる内容を有している。この画像データ処理システムは、当然ながら、上述した本発明によるデータ処理方法におけるすべての作用効果を得ることができるとともに、一方の画像処理装置が他方の画像処理装置のヘルパーマシンとして機能でき、設計コストを圧迫することなく処理効率を向上させることができる。
【００１０】
本発明の好適な実施形態の１つでは、前記画像データ格納ユニットは、画像入力機器で得られた画像データを画像処理する第１の画像処理装置のための画像データバッファとして機能しており、第２の画像処理装置は前記画像データ格納ユニットに格納された画像データを第１の画像処理装置に代わって画像処理するヘルパーマシンとして機能するように構成されている。この構成により、フィルムスキャナやメモリカードリーダなどの画像入力機器で得られた画像データの画像処理を行っている第１の画像処理装置の処理負荷が増大した場合、第２の画像処理装置が画像データ格納ユニットにアクセスし、処理を待つ画像データを取り込んで、第１の画像処理装置のヘルパーマシンとして画像データに対する必要な画像処理を施すことができる。写真プリントショップにおける写真プリント注文には、ほとんど自動的に処理できる通常の写真プリント出力だけでなく、電線や電柱などの背景不要物を消しながら主要被写体を美しく表現するといった極めて手作業的な時間のかかる特殊な写真プリント出力も含まれている。このような広範囲なプリント注文を連続的に処理する際、この構成の画像データ処理システムでは、第１の画像処理装置によって自動的又は半自動的な画像データの処理を行っている間に、オペレータは第２の画像処理装置を用いてじっくりと手作業的に画像処理を行うことが可能となる。このことは、この画像データ処理システムがプリント装置も含む写真プリントシステムとして構成されている場合、その稼働率を低下させずに上述した広範囲なプリント注文をさばく上の重要な利点となる。
【００１１】
また、サブ的に使用される第２の画像処理装置は、当然頻繁に稼働するものではないので、本発明の好適な実施形態として、前記第２の画像処理装置を汎用パソコンで構成するならば、この汎用パソコンが第２の画像処理装置として使用していない時にはワープロソフトや表計算プログラムなどのアプリケーションプログラムを起動して、全く別な仕事をさせることができ、資源の有効利用の点で好都合である。
本発明によるその他の特徴及び利点は、以下図面を用いた実施形態の説明により明らかになるだろう。
【発明を実施するための最良の形態】
【００１２】
図１は本発明によるデータ処理方法を採用した画像データ処理システムとしての写真プリントシステムを示す外観図であり、この写真プリントシステムは、印画紙Ｐに対して露光処理と現像処理とを行う写真プリンタとしてのプリントステーション１Ｂと、現像済み写真フィルムＭａやデジタルカメラ用メモリカードＭｂなどから画像入力機器を介して取り込んだ撮影画像データ（以下単に画像データと称する）を一時的に格納する画像データ格納ユニット４と、この画像データ格納ユニット４からあるいは画像入力機器から直接に読み込んだ画像データに必要な画像処理を施してプリントステーション１Ｂで使用されるプリントデータに変換して転送する操作ステーション１Ａと、選択的に画像データ格納ユニット４に接続してそこに格納されている画像データにアクセス可能な画像処理装置としての汎用パソコン５から構成されている。これらの各要素はデータ伝送ラインで相互に接続されるが、その伝送方式は特に限定されない。
【００１３】
操作ステーション１Ａとプリントステーション１Ｂの組み合わせはデジタルミニラボとも称せられるものであり、図２からよく理解できるように、プリントステーション１Ｂは２つの印画紙マガジン１１に納めたロール状の印画紙Ｐを該ステーション１Ｂの内部に搬送してプリントサイズに切断すると共に、このように切断された印画紙Ｐに対し、プリントエンジンとしての露光エンジン１２で撮影画像の露光を行い、この露光後の印画紙Ｐを複数の現像処理槽を有した現像処理部１３に送って現像する。乾燥の後に装置上部の横送りコンベア１４からソータに送られた印画紙Ｐ、つまり写真プリントＰは、このソータの複数のトレイにオーダ単位で仕分けられた状態で集積される。上述した印画紙Ｐに対する各種処理に合わせた搬送速度で印画紙Ｐを搬送するために複数のチャッカー搬送ユニット１５ａを含む印画紙搬送機構１５が設けられている。
【００１４】
露光エンジン１２は、操作ステーション１Ａから送られてくるプリントデータに基づいて印画紙Ｐを送りながらＲ（赤）、Ｇ（緑）、Ｂ（青）の３原色の光線の照射を印画紙Ｐに対して行うものであり、露光時には印画紙Ｐを副走査方向に搬送しながら、この搬送速度と同期して主走査方向に沿ったライン状に露光を行うよう構成されている。尚、露光ヘッドとしては、露光仕様に応じて、レーザビーム方式、蛍光ビーム方式、液晶シャッター方式、ＤＭＤ方式などの採用が可能であるが、ここではレーザビーム方式が採用されている。いずれにしても、ライン露光方式を採用しているので、プリントサイズは印画紙Ｐの幅と副走査方向での送り長さで決定される。
【００１５】
操作ステーション１Ａのデスク状コンソールの上部位置には、写真フィルムＭａの撮影画像コマから画像データを取得するフィルムスキャナ２と、各種情報を表示するモニタ３ａが配置されている。また、この操作テーブルの下方には、画像データ格納ユニットに対する画像データ管理を行う機能や取り込んだ撮影画像データの処理を行う機能やプリントステーション１Ｂに制御コマンドを送る機能などを有するコントローラ３が備えられている。このコントローラ３にはデジタルカメラに装着されるメモリカードＭｂなどから画像データを取得するメディアリーダ１８や各種設定や調整を行う際にも用いるキーボード１６やマウス１７が接続されている。
【００１６】
フィルムスキャナ２は、図２に模式的に示されているように、フィルム搬送ラインの上方に位置する光源２０と、フィルム搬送ラインの下側でこれに対して直交する方向に延びたスリット２１の下方に位置する光学レンズ２２と、この光学レンズ２２によって結像された写真フィルムの透過光を光電変換するＣＣＤ型のセンサユニット２３とを備えている。センサユニット２３はコントローラ３に装着された画像入力ボードと接続されており、センサユニット２３によって変換された画像データは画像データ取得ユニット１９を介してコントローラ３に送り込まれる。
【００１７】
画像データ取得ユニット１９は、フィルムスキャナ２やメディアリーダ１８から送られてくる画像データをコントローラ３以外に前記画像データ格納ユニット４に送り込んだり、この画像データ格納ユニットから抽出した画像データをコントローラ３に送り込んだりするデータ伝送路スイッチ機能を有している。
【００１８】
画像データ格納ユニット４は、複数のハードディスクからなる大容量画像データアーカイブユニットであり、これに接続されたコントローラ３や汎用パソコン５にインストールされている画像データ管理プログラムによって画像データの検索・抽出、読み書き等の画像データ管理が行われる。このような画像データ格納ユニット４の一例は、上述した特許文献１に開示されている。
【００１９】
操作ステーション１Ａに搭載されているコントローラ３は、ＣＰＵを中核部材として、写真プリント出力に関する種々の動作を行うための機能部をハードウエア又はソフトウエアあるいはその両方で構築しているが、図３に示されているように、本発明に特に関係する機能部としては、このコントローラ３における画像データの入出力管理や画像処理それにプリントステーション１Ｂへの制御コマンドの管理等を行う画像プリント管理部３０と、画像データ取得ユニット１９を介して送り込まれてきた画像データに対して次の処理のために必要な前処理を行ってこの画像データをメモリ３１に展開するデータ前処理部３２と、各種ウインドウや各種操作ボタンなどを含むグラフィック操作画面の作成やそのようなグラフィック操作画面を通じてのユーザ操作入力（キーボード１６やマウス１７による）から制御コマンドを生成するグラフィックユーザインターフェース（以下ＧＵＩと略称する）を構築するＧＵＩ部３３と、色補正等のプレジャッジプリント作業時にプリントソース画像や予想仕上がりプリント画像としてのシミュレート画像さらにはＧＵＩ部３３から送られてきたグラフィックデータをモニタ３ａに表示させるためのビデオ信号を生成するビデオ制御部３４と、画像処理が完了した処理済み画像データに基づいてプリントステーション１Ｂに装備されている露光エンジン１２に適したプリントデータを生成するプリントデータ生成部３５と、顧客の要望に応じて生の撮影画像データや画像処理が完了した処理済み撮影画像データなどをＣＤ−Ｒに書き込むための形式にフォーマットするフォーマッタ部３６などが挙げられる。
【００２０】
画像プリント管理部３０は、基本的にプログラムによって構築されるが、画像データ格納ユニット４に対する画像データの管理などを行う画像データ管理部３０ａ、メモリ３１に展開された画像データに対して解像度変換、シャープネス、粒状抑制、色補正、拡縮、画像回転、トリミング、画像合成などを施す画像処理部３０ｂ、プリントデータ生成部３５の制御やプリントステーション１Ｂへの制御コマンドを生成するプリント制御部３０ｃに区分けすることができ、これらはいずれもコントローラ３に実装されているＷｉｎｄｏｗｓ（マイクロソフト社の登録商標）などの汎用ＯＳ上で動作するプログラムとなっている。特に、画像データ管理部３０ａは汎用ＯＳにインストールされた画像データ管理プログラムによって実現されており、この画像データ管理プログラムは、コントローラ３のメインプログラムから呼び出して起動させることができる独立したアプリケーションプログラムである。
【００２１】
前述した汎用パソコン５も、図４から明らかなように、画像データ格納ユニット４に対する画像データの管理などを行う画像データ管理部５１、入力された画像データに対して各種画像処理を施す画像処理部５２、この汎用パソコン５に接続された独自のプリンタ５ａを制御するプリント管理部５３、モニタ５ｂへビデオ信号を送るビデオ制御部５４、付属するキーボード５ｃやマウス５ｄを用いたＧＵＩベースの操作を実現するＧＵＩ部５５などの機能を、ハードウエア又はソフトウエアあるいはその両方の形態で構築している。但し、画像データ管理部５１はコントローラ３にもインストールされている画像データ管理プログラムと同一であり、この汎用パソコン５にも実装されているＷｉｎｄｏｗｓ（マイクロソフト社の登録商標）などの汎用ＯＳ上で動作するものである。
【００２２】
操作ステーション１Ａに搭載されているコントローラ３のＯＳ上で動作する画像データ管理プログラムと汎用パソコン５のＯＳ上で動作する画像データ管理プログラムは同一であるが、操作ステーション１Ａと汎用パソコン５での画像データの取り扱いは異なる部分があるので、実際に起動した際には、異なる機能を持つかのように振る舞う。例えば、コントローラ３で動作する画像データ管理プログラムでは、画像データ格納ユニット４に対する画像データの検索時において目的の画像データのパスだけを取り込むだけであるが、汎用パソコン５で動作する画像データ管理プログラムでは、目的名画像データを抽出してその画像データを自分のメモリにロードさせる。また、コントローラ３のものでは画像データ格納ユニット４に対して読み出しだけを行うが、汎用パソコンのものでは読み込み及び書き込みも行う。さらに、その画面表示言語に関しても、コントローラ３のものでは予め定められた言語での表示となるが、汎用パソコンのものではメニュー画面上で任意の表示言語が選択可能となっている。このような起動した後の機能の違いは、ＯＳからこのデータ管理プログラムを起動する際にデータ管理プログラムに渡す起動パラメータによって実現されるようになっている。
【００２３】
この起動パラメータによるプログラムの異なる動作に関して図５に示された模式図を用いて説明する。この模式図では、それぞれのＯＳに、画像データ格納ユニット４に対する画像データの取り扱いを行う画像データ管理プログラムとそれ以外の機能を実現するプリント管理プログラムがインストールされているとする。ＯＳには各種アプリケーションプログラムを起動するプログラム起動モジュールが備わっており、画像データ管理プログラムを起動させる場合には画像データ管理プログラムに対する起動要求に含まれている前設定された起動パラメータを画像データ管理プログラムに与える。画像データ管理プログラムは受け取った起動パラメータを解釈して、本来備わっている機能の一部を非動作にしたり、非表示にしたりする。
【００２４】
コントローラ３と汎用パソコン５にインストールした画像データ管理プログラムのそれぞれにおける典型的な振る舞いを図６を用いて説明する。
汎用パソコン５にインストールされ、汎用パソコン用の起動パラメータでもって起動された画像データ管理プログラムは、まずメニュー画面Ａを表示する（＃０１）。このメニュー画面Ａには読み込みボタン、保存ボタン、設定ボタンが表示されている。ここで、読み込みボタンをクリックすると、読み込み画面Ｂが表示される（＃０２）。この読み込み画面Ｂには、リプリントコード入力欄や保存先のパスがデフォルト表示されている。ここで、リプリントコードを入力してＯＫボタンをクリックすると、そのリプリントコードが属するオーダ一覧画面Ｄが表示される（＃０３）。このオーダ一覧画面Ｄで希望のリプリントコードを選択してコマ選択ボタンをクリックすると、コマ選択画面Ｅが表示される（＃０４）。このコマ選択画面Ｅには各画像コマを規定するファイル名が一覧表示されるので、所望のファイル名を指定することで、目的とする画像データを画像データ格納ユニット４から取り込むことができる。また、オーダ一覧画面Ｄにおいて検索ボタンをクリックすると、検索画面Ｆが表示される（＃０５）。この検索画面Ｆには、検索キーワードとしてリプリントコード、オーダＮｏ、保存日、ユーザＩＤなどを入力する検索キー入力欄が表示されているので、任意の検索キーワードを入力して希望する画像データの検索を行うことができる。また、メニュー画面Ａにおいて保存ボタンをクリックすると保存画面Ｇが表示され、汎用パソコン５で処理した画像データを希望の又はデフォルトの格納位置に保存される（＃０６）。さらに、メニュー画面Ａにおいて設定ボタンをクリックすると設定画面Ｈが表示され、表示言語を選択することができる（＃０７）。
【００２５】
これに対して、コントローラ３にインストールされ、操作ステーション用の起動パラメータでもって起動された画像データ管理プログラムでは、メニュー画面Ａではなく、読み込み画面Ｃが表示される（＃１０）。メニュー画面Ａの表示が省略されているのは、コントローラ３で起動される画像データ管理プログラムでは保存機能や設定機能が動作しないように起動パラメータで設定されているからである。ここで表示された読み込む画面Ｃでは、汎用パソコン５において表示された読み込む画面Ｂとは異なって、リプリントコード入力欄だけが表示され、保存先のパスは表示されていない。これは、ここでは保存機能が動作しないように設定されているからである。読み込み画面Ｃが表示された後の手順は、基本的に汎用パソコン５での振る舞いと同様であり、読み込み画面Ｃでリプリントコードを入力してＯＫボタンをクリックすることで、前述したオーダ一覧画面Ｄが表示され（＃１１）、そこから前述したステップ＃０４やステップ０５のようにコマ選択画面Ｅや検索画面Ｆへの移行（＃１２と＃１３）も実現する。
【００２６】
これにより、デジタルミニラボを構成する操作ステーション１Ａに搭載されたコントローラ３と汎用パソコン５のそれぞれに特化した画像データ管理プログラムを作成する必要がなく、同一の画像データ管理プログラムをインストールしているにもかかわらず、それぞれにとって不必要なあるいは実行不可能な機能は選択不能となったり、非表示になったりすることで、オペレータに無用な混乱を生じさせることがない。
【産業上の利用可能性】
【００２７】
本発明は、データ処理システムを構成する複数の役割の異なるデータ処理装置に組み込まれた汎用ＯＳ上で動作するように各データ処理装置にインストールされた同一のデータ管理プログラムに基づいてデータ処理を行うデータ処理技術分野、特に撮影画像データを格納する画像データ格納ユニットとこの画像データ格納ユニットとデータ伝送可能につながっている複数の役割の異なる画像処理装置からなる撮影画像処理分野において広く利用することができる。
【図面の簡単な説明】
【００２８】
【図１】写真プリントシステムとして構成された本発明による画像データ処理システムを示す外観図
【図２】写真プリントシステムを構成する操作ステーションとプリントステーションの説明図
【図３】操作ステーションに搭載されたコントローラの機能を示す機能ブロック図
【図４】汎用パソコンにおける画像データ処理のための機能要素を説明する機能ブロック図
【図５】画像データ管理プログラムの起動の様子を説明する模式図
【図６】コントローラと汎用パソコンにおける画像データ管理プログラムの動作の様子を説明する模式図
【符号の説明】
【００２９】
１Ａ：操作ステーション
２Ｂ：プリントステーション
３：コントローラ（画像処理装置）
４：画像データ格納ユニット
５：汎用パソコン（画像処理装置）
３０ａ：コントローラ３における画像データ管理部（画像データ管理プログラム）
５１：汎用パソコンにおける画像データ管理部（画像データ管理プログラム）
【図１】
2005157411.tif 000003
【図２】
2005157411.tif 000004
【図３】
2005157411.tif 000005
【図４】
2005157411.tif 000006
【図５】
2005157411.tif 000007
【図６】
2005157411.tif 000008